(57)【要約】      （修正有）【課題】突刺具を蓋材に突き刺した状態において、突刺具の周りと突き破られた蓋材との間から内容物が漏れ出すことを抑制可能な突刺具付容器を提供する。【解決手段】突刺具付容器１は、開口１０ａが形成された、内容物を収容する容器本体１０と、延伸性の突刺領域２１を含み、開口を覆うように容器本体に取り付けられた蓋材２０と、突刺領域に突刺可能であり、突刺領域に突き刺さった状態で注出口として機能する突刺具３０と、を備える。突刺具は、突刺領域に突き刺さった状態で、容器本体内部を外部に連通させるための筒状の胴体部と、胴体部の軸線方向に沿った一端に接続された突刺部３３と、を有し、突刺部には胴体部の内部に通じる流入孔３５が形成されている。突刺領域は、突刺具を突き刺された際に延伸し、延伸状態で胴体部の周りに接触して当該胴体部を保持する。【選択図】図２
2016172576.tif 000002
【特許請求の範囲】
【請求項１】
開口が形成された、内容物を収容する容器本体と、
延伸性の突刺領域を含み、前記開口を覆うように前記容器本体に取り付けられた蓋材と、
前記突刺領域に突刺可能であり、前記突刺領域に突き刺さった状態で注出口として機能する突刺具と、を備え、
前記突刺具は、前記突刺領域に突き刺さった状態で、前記容器本体内部を外部に連通させるための筒状の胴体部と、前記胴体部の軸線方向に沿った一端に接続された突刺部であって、前記胴体部の内部に通じる流入孔が形成された突刺部と、を有し、
前記突刺領域は、前記突刺具を突き刺された際に延伸し、延伸状態で前記胴体部の周りに接触して当該胴体部を保持する、突刺具付容器。
【請求項２】
前記突刺部は、前記胴体部の軸線方向に沿って前記胴体部から離間するにつれて先細になる、請求項１に記載の突刺具付容器。
【請求項３】
前記突刺部は、一端において互いに接続され、他端において互いから離間して前記胴体部に接続した複数のリブブレードを有する、請求項１または２に記載の突刺具付容器。
【請求項４】
前記突刺部のうちの隣り合う２つのリブブレードの間を含む領域に、前記流入孔に通じる開口が形成されている、請求項３に記載の突刺具付容器。
【請求項５】
前記胴体部の軸線方向に沿った前記リブブレードの断面において、前記胴体部の軸線方向に沿った前記リブブレードの寸法は、前記胴体部の軸線方向に直交する方向に沿った前記リブブレードの寸法の二倍よりも長い、請求項３または４に記載の突刺具付容器。
【請求項６】
前記突刺具は、前記胴体部から張り出した鍔部をさらに有する、請求項１乃至５のいずれか一項に記載の突刺具付容器。
【請求項７】
前記突刺領域を構成する突刺用フィルムは、ＪＩＳ−Ｚ１７０７に準拠して計測される突刺強さが２．０Ｎ以上１０．０Ｎ以下であり、ＪＩＳ−Ｋ７１２７に準拠して計測される引張伸度が１１０％以上である、請求項１乃至６のいずれか一項に記載の突刺具付容器。
【請求項８】
前記突刺領域を構成する突刺用フィルムは、無延伸ナイロンフィルム層と、前記無延伸ナイロンフィルム層よりも前記容器本体側に配置されたシーラント層と、を含む、請求項１乃至７のいずれか一項に記載の突刺具付容器。
【請求項９】
注出口として機能する突刺具を突き刺して用いられる蓋付容器であって、
開口が形成された、内容物を収容する容器本体と、
延伸性の突刺領域を含み、前記開口を覆うように前記容器本体に取り付けられた蓋材と、
を備え、
前記突刺領域を構成する突刺用フィルムが、ＪＩＳ−Ｚ１７０７に準拠して計測される突刺強さが２．０Ｎ以上１０．０Ｎ以下であり、ＪＩＳ−Ｋ７１２７に準拠して計測される引張伸度が１１０％以上である、蓋付容器。
【請求項１０】
前記突刺領域を構成する突刺用フィルムは、無延伸ナイロンフィルム層と、前記無延伸ナイロンフィルム層よりも前記容器本体側に配置されたシーラント層と、を含む、請求項９に記載の蓋付容器。
【請求項１１】
蓋付容器の蓋材に突刺可能であり、前記蓋材に突き刺さった状態で注出口として機能する突刺具であって、
前記蓋材に突き刺さった状態で、前記蓋付容器内部を外部に連通させるための筒状の胴体部と、
前記胴体部の軸線方向に沿った一端に接続された突刺部であって、前記胴体部の内部に通じる流入孔が形成された突刺部と、を備え、
前記突刺部は、一端において互いに接続され且つ他端において互いから離間して前記胴体部に接続した複数のリブブレードを有し、
前記突刺部のうちの隣り合う２つのリブブレードの間を含む領域に、前記流入孔に通じる開口が形成されていて、
前記胴体部の軸線方向に沿った前記リブブレードの断面において、前記胴体部の軸線方向に沿った前記リブブレードの寸法は、前記胴体部の軸線方向に直交する方向に沿った前記リブブレードの寸法の二倍よりも長い、突刺具。
【発明の詳細な説明】
【技術分野】
【０００１】
本発明は、内容物を収容し取り出すことが可能な突刺具付容器に関する。また、本発明は、この突刺具付容器に用いられる蓋付容器及び突刺具に関する。
【背景技術】
【０００２】
例えば、特許文献１及び２には、ストローからなる突刺具を、容器本体を覆う蓋材に突き刺して用いる突刺具付容器が開示されている。突刺具付容器は、蓋材を開封しなくても内容物を取り出すことができることから、液状や粉状の内容物を収容する器具として広く用いられている。突刺具付容器に収容される内容物としては、典型的には液状の飲料が挙げられる。
【先行技術文献】
【特許文献】
【０００３】
【特許文献１】特開２００２−２６４９４７号公報
【特許文献２】特開平０７−２８５５７９号公報
【発明の概要】
【発明が解決しようとする課題】
【０００４】
特許文献１及び２に示す突刺具付容器において、ストローを蓋材に突き刺すと、蓋材の一部が破れストローの先端が容器本体内に進入する。この蓋材にストローを突き刺した状態においては、容器本体の開口の大部分は依然として蓋材に覆われているものの、蓋材を貫通したストローの周りと蓋材との間には隙間が不可避的に生じてしまう。このため、持ち運びによる揺れや傾きに伴い、ストローと蓋材との間の隙間から内容物が漏れ出してしまう不具合が生じていた。
【０００５】
とりわけ、内容物として飲料ではなく調味料や芳香剤を収容する場合、蓋材には耐ピンホール性に加えてガスバリア性も要求される。このような機能をもつ蓋材に突刺具を突き刺した場合、突刺具の周りと蓋材との間に、隙間が生じないようにすることは困難である。
【０００６】
本発明は、このような点を考慮してなされたものであり、突刺具を蓋材に突き刺した状態において、突刺具の周りと突き破られた蓋材との間から内容物が漏れ出すことを抑制可能な突刺具付容器を提供することを目的とする。また本発明は、この突刺具付容器に用いられる蓋付容器及び突刺具を提供することを目的とする。
【課題を解決するための手段】
【０００７】
本発明による突刺具付容器は、開口が形成された、内容物を収容する容器本体と、
延伸性の突刺領域を含み、前記開口を覆うように前記容器本体に取り付けられた蓋材と、
前記突刺領域に突刺可能であり、前記突刺領域に突き刺さった状態で注出口として機能する突刺具と、を備え、
前記突刺具は、前記突刺領域に突き刺さった状態で、前記容器本体内部を外部に連通させるための筒状の胴体部と、前記胴体部の軸線方向に沿った一端に接続された突刺部であって、前記胴体部の内部に通じる流入孔が形成された突刺部と、を有し、
前記突刺領域は、前記突刺具を突き刺された際に延伸し、延伸状態で前記胴体部の周りに接触して当該胴体部を保持する。
【０００８】
本発明による突刺具付容器において、前記突刺部は、前記胴体部の軸線方向に沿って前記胴体部から離間するにつれて先細になっていてもよい。
【０００９】
本発明による突刺具付容器において、前記突刺部は、一端において互いに接続され、他端において互いから離間して前記胴体部に接続した複数のリブブレードを有してもよい。
【００１０】
本発明による突刺具付容器において、前記突刺部のうちの隣り合う２つのリブブレードの間を含む領域に、前記流入孔に通じる開口が形成されていてもよい。
【００１１】
本発明による突刺具付容器において、前記胴体部の軸線方向に沿った前記リブブレードの断面において、前記胴体部の軸線方向に沿った前記リブブレードの寸法は、前記胴体部の軸線方向に直交する方向に沿った前記リブブレードの寸法の二倍よりも長くてもよい。
【００１２】
本発明による突刺具付容器において、前記突刺具は、前記胴体部から張り出した鍔部をさらに有してもよい。
【００１３】
本発明による突刺具付容器において、前記突刺領域を構成する突刺用フィルムは、ＪＩＳ−Ｚ１７０７に準拠して計測される突刺強さが２．０Ｎ以上１０．０Ｎ以下であり、ＪＩＳ−Ｋ７１２７に準拠して計測される引張伸度が１１０％以上であってもよい。
【００１４】
本発明による突刺具付容器において、前記突刺領域を構成する突刺用フィルムは、無延伸ナイロンフィルム層と、前記無延伸ナイロンフィルム層よりも前記容器本体側に配置されたシーラント層と、を含んでもよい。
【００１５】
本発明による蓋付容器は、注出口として機能する突刺具を突き刺して用いられる蓋付容器であって、
開口が形成された、内容物を収容する容器本体と、
延伸性の突刺領域を含み、前記開口を覆うように前記容器本体に取り付けられた蓋材と、を備え、
前記突刺領域を構成する突刺用フィルムが、ＪＩＳ−Ｚ１７０７に準拠して計測される突刺強さが２．０Ｎ以上１０．０Ｎ以下であり、ＪＩＳ−Ｋ７１２７に準拠して計測される引張伸度が１１０％以上である。
【００１６】
本発明による蓋付容器において、前記突刺領域を構成する突刺用フィルムは、無延伸ナイロンフィルム層と、前記無延伸ナイロンフィルム層よりも前記容器本体側に配置されたシーラント層と、を含んでもよい。
【００１７】
本発明による突刺具は、蓋付容器の蓋材に突刺可能であり、前記蓋材に突き刺さった状態で注出口として機能する突刺具であって、
前記蓋材に突き刺さった状態で、前記蓋付容器内部を外部に連通させるための筒状の胴体部と、
前記胴体部の軸線方向に沿った一端に接続された突刺部であって、前記胴体部の内部に通じる流入孔が形成された突刺部と、を備え、
前記突刺部は、一端において互いに接続され且つ他端において互いから離間して前記胴体部に接続した複数のリブブレードを有し、
前記突刺部のうちの隣り合う２つのリブブレードの間を含む領域に、前記流入孔に通じる開口が形成されていて、
前記胴体部の軸線方向に沿った前記リブブレードの断面において、前記胴体部の軸線方向に沿った前記リブブレードの寸法は、前記胴体部の軸線方向に直交する方向に沿った前記リブブレードの寸法の二倍よりも長い。
【発明の効果】
【００１８】
本発明によれば、突刺用フィルムが、突刺具に突き刺された状態において、延伸状態で胴体部の周りに接触して当該胴体部を保持するため、突刺具との間の隙間を埋めるように作用する。このため、突刺具を蓋材に突き刺した状態において、突刺具の周りと蓋材との間から内容物が漏れ出すことを抑制することが可能となる。
【図面の簡単な説明】
【００１９】
【図１】一実施の形態による突刺具付容器を示す縦断面図。
【図２】図１に示す突刺具付容器において、突刺具で蓋材の突刺領域を突き刺した状態を示す縦断面図。
【図３】図１に示す突刺具付容器を構成する蓋付容器を示す縦断面図。
【図４】図３に示す蓋付容器を構成する蓋材の突刺領域の層構成を示す断面図。
【図５】図１に示す突刺具付容器を構成する突刺具を示す斜視図。
【図６】図５に示す線ＶＩ−ＶＩに沿った突刺具の断面を示す断面図。
【図７】図５に示す突刺具の底面図。
【図８】図１に示す突刺具付容器において、突刺具で蓋材の突刺領域を突き刺す過程を示す縦断面図。
【図９】図１に示す突刺具付容器の一変形例を示す縦断面図。
【図１０】図９に示す突刺具付容器において、突刺具で蓋材の突刺領域を突き刺した状態を示す縦断面図。
【発明を実施するための形態】
【００２０】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２１】
図１乃至図１０は、本発明による一実施の形態及びその変形例を説明するための図である。このうち図１は、本発明の一実施の形態による突刺具付容器１を示す縦断面図である。
【００２２】
図１に示す突刺具付容器１は、突刺具３０を、容器本体１０の開口１０ａを覆う蓋材２０に突き刺して用いられる。図２に、突刺具３０を蓋材２０に突き刺した状態が図示されている。突刺具付容器１は、蓋材２０を開封しなくても内容物を突刺具３０を介して取り出すことができることから、液状や粉状の内容物を収容／取出す用途に適している。突刺具付容器１に収容される内容物の一例として、飲料、液状の調味料、粉状の調味料あるいは芳香剤等が挙げられる。
【００２３】
ただし、突刺具３０を蓋材２０に突き刺した状態において、突刺具３０の周りと突き破られた蓋材２０との間に隙間が形成されてしまうと、当該隙間から内容物が漏れ出すおそれがある。そこで、本実施の形態の突刺具付容器１では、突刺具３０の周りと蓋材２０との間に隙間が生じないよう、蓋材２０の突き破られた部分が突刺具３０の周りを隙間なく覆い当該突刺具３０を保持するようになっている。以下、このような突刺具付容器１を構成する各構成要素について説明していく。
【００２４】
先ず、容器本体１０と、容器本体１０を覆う蓋材２０と、について図３を参照して説明する。図３は、容器本体１０及び蓋材２０を示す縦断面図である。図３に示すように、容器本体１０には、内容物が収容される。容器本体１０には、開口１０ａが形成されていて、この開口１０ａを覆うようにして蓋材２０が容器本体１０に取り付けられている。容器本体１０と蓋材２０とによって、内容物を保管する蓋付容器２が構成される。
【００２５】
図３に示す容器本体１０は、底部１１と、底部１１に接続された胴部１２と、を有している。底部１１は、蓋付容器２を載置面に置いたときに蓋付容器２の載置面に接触する部分を構成する。胴部１２は、底部１１の周縁に接続され底部１１の上方を環状に取り囲んでいる。底部１１と胴部１２とによって規定される空間内に、内容物を収容する収容空間Ｓが規定されている。
【００２６】
胴部１２の底部１１と接続された端部とは反対側となる端部に、胴部１２から張り出したフランジ部１３が接続されている。フランジ部１３は、蓋材２０が取り付けられる部分である。本実施の形態において、フランジ部１３は環状に形成され、当該フランジ部１３に囲まれる領域内に開口１０ａが規定されている。
【００２７】
容器本体１０のフランジ部１３に、蓋材２０がヒートシールされている。蓋材２０は、使用前の状態においては、開口１０ａを閉じて収容空間Ｓ内を密閉する機能をもち、使用時には、突き刺された突刺具３０を保持すると共に内容物の漏れを防ぐ機能をもつ。
【００２８】
図３に示す蓋材２０は、突刺具３０に突き刺されるべき領域としての突刺領域２１と、突刺領域２１の周りに位置する非突刺領域２３と、を含んでいる。図３に示す例では、突刺領域２１は、開口１０ａの全域を覆っていて、非突刺領域２３は、フランジ部１３の全域と重なり当該フランジ部１３にヒートシールされている。
【００２９】
本実施の形態において、蓋材２０は、単一の突刺用フィルム２２にて構成されている。すなわち、突刺用フィルム２２のうちの開口１０ａと重なる領域が突刺領域２１を画定し、突刺用フィルム２２のうちのフランジ部１３と重なる領域が非突刺領域２３を画定している。
【００３０】
図４に、突刺用フィルム２２の層構成の一例を示す。図４に示す突刺用フィルム２２は、容器本体１０側から当該容器本体１０と離間する側に向かって、シーラント層２２ａと、無延伸ナイロンフィルム層２２ｂと、バリア層２２ｃと、をこの順で含んでいる。以下、突刺用フィルム２２をなす各層について説明していく。
【００３１】
（シーラント層）
上述のように、突刺用フィルム２２は、フランジ部１３に部分的に重ねられて、この重なり合った部分をヒートシールされる。このため、突刺用フィルム２２は、蓋付容器２側を向く内面を構成する層としてシール性を有するシーラント層２２ａを含んでいる。シーラント層２２ａを構成する材料としては、低密度ポリエチレン（ＬＬＤＰＥ）、線状低密度ポリエチレン（ＬＬＤＰＥ）などを用いることができる。
【００３２】
（無延伸ナイロンフィルム層）
無延伸ナイロンフィルム層２２ｂは、主として無延伸ナイロン成分を含む層であり、突刺用フィルム２２に延伸性及び耐突刺性を付与する。突刺用フィルム２２が高い延伸性及び耐突刺性を発揮する場合、突刺具３０で突き刺されたときに突刺用フィルム２２が大きく延びて強い弾性力を示す。そして、突刺用フィルム２２が突き破られると、この弾性力が開放されてその復元の過程で突刺具３０を弾性的に締め付ける。この突刺具３０を弾性的に締め付ける作用が、突刺具３０との間の隙間を埋めるように機能すると共に、当該突刺具３０を保持する保持力を提供する。すなわち、無延伸ナイロンフィルム層２２ｂにより付与される延伸性及び耐突刺性は、突刺領域２１に突刺具３０が突き刺された状態において、突刺具３０との隙間を小さくすると共に安定して当該突刺具３０を保持することに、大きく貢献する。
【００３３】
加えて、無延伸ナイロンフィルム層２２ｂは、突刺用フィルム２２に引張強さも付与する。突刺用フィルム２２の引張強さは、突刺具３０で突き刺されて突刺用フィルム２２が大きく延びたときの弾性力の大きさに影響を及ぼす。したがって、無延伸ナイロンフィルム層２２ｂにより付与される引張強さも、突刺具３０との隙間をなくし安定して当該突刺具３０を保持することに、貢献する。
【００３４】
また、無延伸ナイロンフィルム層２２ｂは、耐突刺性だけでなく耐屈曲性や耐衝撃性も発揮する。このため、突刺領域２１に伝わる衝撃やこれに伴う屈曲を無延伸ナイロンフィルム層２２ｂによって吸収することができ、これにより、衝撃や屈曲に起因した突刺領域２１へのピンホールの発生を効果的に防止することができる。
【００３５】
（バリア層）
フランジ付容器１が飲料や調味料を内容物として収容する場合、内容物の酸化等の変質を防止しながら内容物を保存することが望まれる。そこで、図４に示す突刺用フィルム２２は、バリア層２２ｃを含んでいる。バリア層２２ｃは、水蒸気の透過を防止する蒸気バリア性及び酸素ガス等のガスの透過を防止するガスバリア性を有している。バリア層２２ａは、上記の機能を満たす層であれば特に限定されない。本実施の形態では、バリア層２２ｃは、ポリメタキシリレンアジパミド（ＭＸＮｙ）層からなる。
【００３６】
ただし、バリア層２２ｃの形態は、突刺用フィルム２２に蒸気バリア性及びガスバリア性を付与できるものであれば、ポリメタキシリレンアジパミド（ＭＸＮｙ）層からなる例に限定されない。他の例として、バリア層２２ｃは、延伸ポリプロピレン（ＯＰＰ）層、ポリエチレンテレフタレート（ＰＥＴ）層及び延伸ポリプロピレン（ＯＰＰ）層からなる多層バリアフィルムであってもよい。あるいは、無延伸ナイロンフィルム層２２ｂに無機物を蒸着させて形成した蒸着膜からなってもよい。さらに別の例として、バリア層２２ｃとして、金属箔、例えばアルミニウム箔を採用してもよい。
【００３７】
（接合層）
図４に示すように、シーラント層２２ａと無延伸ナイロンフィルム層２２ｂとの間、及び、無延伸ナイロンフィルム層２２ｂとバリア層２２ｃとの間に、接合層２２ｄが介在されている。この接合層２２ｄとしては、例えばそれ自体既知のドライラミネート法にて一般に用いられる接着剤を用いることができ、例えば、ポリ酢酸ビニル系接着剤、ポリアクリル酸エステル系接着剤、シアノアクリレート系接着剤、エチレン共重合体系接着剤、セルロース系接着剤、ポリエステル系接着剤、ポリアミド系接着剤、アミノ樹脂系接着剤、エポキシ系接着剤、ポリウレタン系接着剤等を用いることができる。
【００３８】
さて、図１に戻って、容器本体１０に保持バンド５を介して突刺具３０が支持されている。突刺具３０は、蓋材２０の突刺領域２１に突き刺され、容器本体１０に収容された内容物を取り出すようになっている。すなわち、突刺具３０は、突刺領域２１に突き刺さった状態で注出口として機能する。
【００３９】
図５乃至図７に、それぞれ、突刺具３０を斜視図、縦断面図及び底面図として示す。図５乃至図７に示すように、突刺具３０は、筒状の胴体部３１と、胴体部３１の軸線方向ａｄに沿った一端に接続された突刺部３３と、を有している。
【００４０】
胴体部３１は、当該胴体部３１の軸線方向ａｄに沿って延びる円筒状の部材として構成されている。胴体部３１には、突刺具３０を蓋材２０の突刺領域２１に突き刺さした状態で、容器本体１０内部を外部に連通させるための通路３２が形成されている。通路３２は、胴体部３１内を軸線方向ａｄに貫通し、胴体部３１の突刺部３３とは反対側となる端部に形成された取出口３２ａに繋がっている。
【００４１】
突刺部３３は、蓋材２０の突刺領域２１を突き破ることが意図されている。このため、本実施の形態の突刺部３３は、胴体部３１の軸線方向ａｄに沿って胴体部３１から離間するにつれて先細になっている。この場合、突刺部３３は、蓋材２０の突刺領域２１に押し込まれる際の接触面積を小さくすることができ、蓋材２０の突刺領域２１を突き破り易い。
【００４２】
また、突刺部３３は、突刺具３０を突刺領域２１に突き刺した状態で、容器本体１０内の内容物を流入させることも意図されている。この点、突刺部３３には、突刺具３０を突刺領域２１に突き刺した状態で、容器本体１０内の内容物が流入される流入孔３５が形成されている。突刺部３３に形成された流入孔３５は、胴体部３１内の通路３２に通じている。
【００４３】
図５乃至図７に示すように、突刺部３３は、長尺状の複数のリブブレード３４を含んでいる。各リブブレード３４は、一端において他のリブブレード３４と接続され、突刺部３３の先端３３ａを構成する。そして、一端で接続された各リブブレード３４は、他端に向かうにつれて他のリブブレード３４に対する間隔を拡げていく。各リブブレード３４の他端は、他のリブブレード３４から離間した状態で胴体部３１に接続される。
【００４４】
突刺部３３のうちの隣り合う２つのリブブレード３４の間を含む領域に、流入孔３５に通じる開口３５ａが形成されている。図５乃至図７に示す例では、隣り合う２つのリブブレード３４の間を含む領域に、それぞれ１つの開口３５ａが配置されている。したがって、複数のリブブレード３４と複数の開口３５ａとが、胴体部３１の軸線方向ａｄに対する周方向ｃｄに交互に並べられている。図５乃至図７に示す例では、４つのリブブレード３４と４つの開口３５ａとが、胴体部３１の周方向ｃｄに交互に並べられている。
【００４５】
ここで、図６に示す断面に着目する。図６に示す断面は、胴体部３１の軸線方向ａｄに沿った突刺具３０の縦断面である。図６に示す断面において、各リブブレード３４の外輪郭３４ｃは、軸線方向ａｄに対して直線状に傾斜している。さらに、図６に示す断面において、軸線方向ａｄに沿ったリブブレード３４の寸法Ｌ１は、軸線方向ａｄに直交する方向に沿ったリブブレード３４の寸法Ｌ２の二倍よりも長い。
【００４６】
なお、図６に示す例では、突刺部３３は、先端３３ａを構成する上述の複数のリブブレード３４と、胴体部３１に隣接する円筒部分３３ｍと、各リブブレード３４と円筒部分３３ｍとの間を延びる拡開部分３３ｎと、を含んでいる。とりわけ、図６から理解されるように、拡開部分３３ｎの両端部を結ぶ直線ＩＬが軸線方向ａｄに対してなす角度α１は、リブブレード３４の両端部を結ぶ直線が軸線方向ａｄに対してなす角度α２よりも大きい。この場合、リブブレード３４にて突き破った突刺用フィルム２２が胴体部３１の周りを隙間なく締め付けるようにスムーズに、突き破られた突刺用フィルム２２の孔を拡げることができる。
【００４７】
また、胴体部３１から鍔部３８が張り出している。鍔部３８は、突刺具３０を蓋材２０の突刺領域２１に突き刺す際に、突刺具３０の突刺位置を制御するためのものである。図５に示すように、鍔部３８は、中空円盤状に形成され、胴体部３１の周りを取り囲んでいる。そして、鍔部３８は、胴体部３１から軸線方向ａｄに直交する方向に突出している。鍔部３８によれば、突刺具３０を突刺領域２１に突き刺す際に、蓋材２０に面で当接することで、突刺具３０の突刺位置を制御することが可能となる。
【００４８】
鍔部３８が蓋材２０に面で当接して突刺具３０の突刺位置を制御するため、鍔部３８と突刺部３３との間に位置する胴体部３１の部分３１ａは、突刺状態において、容器本体１０内に挿入される部分を構成する。本実施の形態では、鍔部３８と突刺部３３との間に位置する胴体部３１の部分３１ａに、他の部分よりも凹んだ凹部３１ｂが形成されている。凹部３１ｂは、胴体部３１の周方向ｃｄに沿って環状に形成され、胴体部３１外から胴体部３１内に向かって凹んでいる。凹部３１ｂは、突刺具３０を突刺領域２１に突き刺した状態において、胴体部３１と突刺用フィルム２２との接触面積を調整し、突刺用フィルム２２による胴体部３１の保持力を調整する。
【００４９】
次に、以上のような構成からなる突刺具付容器１を使用する方法について図８も参照して説明する。図８は、突刺具３０で蓋材２０の突刺領域２１を突き刺す過程を示す縦断面図である。
【００５０】
先ず、図１に示す状態から突刺具３０を取り外し、蓋材２０の突刺領域２１に突刺具３０の突刺部３３を突き当てる。次に、突刺具３０の突刺部３３を蓋材２０の突刺領域２１に押し込んでいく。
【００５１】
図８に示すように、突刺部３３を突刺領域２１に押し込んでいくと、突刺領域２１をなす突刺用フィルム２２が高い延伸性及び耐突刺性を発揮し、この結果、突刺具３０の押し込みに伴い突刺用フィルム２２が大きく延びて強い弾性力を示す。突刺具３０をさらに押し込み突刺用フィルム２２が突き破られると、大きく延びた突刺用フィルム２２の弾性力が開放され、破れた突刺用フィルム２２が元の位置に復元し始める。この復元の過程で突刺用フィルム２２は突刺具３０を締め付ける。このため、突刺用フィルム２２は、元の位置までは復元することができず、図２に示すように、延伸状態で突刺具３０の周りに周状に接触して当該突刺具３０を保持する。
【００５２】
図２に示す突刺具３０を突刺領域２１に突き刺した状態では、突刺具３０は、蓋付容器２の抽出口として機能する。したがって、蓋付容器２を傾けると、突刺部３３の流入孔３５から内容物が突刺具３０内に流入して、通路３２を通って取出口３２ａから蓋付容器２外に取り出される。ただし、上述のように、突き破られた突刺用フィルム２２が延伸状態で突刺具３０の周りに周状に接触して当該突刺具３０を保持している。このため、突き破られた突刺用フィルム２２が突刺具３０の周りとの間の隙間を埋めるように作用し、突刺具３０の周りと突き破られた蓋材２０との間から内容物が極めて漏れ出し難い。
【００５３】
以上のように、本実施の形態によれば、開口１０ａが形成された、内容物を収容する容器本体１０と、延伸性の突刺領域２１を含み、開口１０ａを覆うように容器本体１０に取り付けられた蓋材２０と、突刺領域２１に突刺可能であり、突刺領域２１に突き刺さった状態で注出口として機能する突刺具３０と、を備え、突刺具３０は、突刺領域２１に突き刺さった状態で、容器本体１０内部を外部に連通させるための筒状の胴体部３１と、胴体部３１の軸線方向ａｄに沿った一端に接続された突刺部３３であって、胴体部３１の内部に通じる流入孔３５が形成された突刺部３３と、を有し、突刺領域２１は、突刺具３０を突き刺された際に延伸し、延伸状態で胴体部３１の周りに接触して当該胴体部３１を保持する。このような形態によれば、突刺用フィルム２２が、突刺具３０に突き刺された状態において、延伸状態で胴体部３１の周りに接触するため、突刺具３０との間の隙間を埋めるように作用すると共に当該胴体部３１を保持する。このため、突刺具３０を蓋材２０に突き刺した状態において、突刺具３０の周りと突き破られた蓋材２０との間から内容物が漏れ出すことを抑制することが可能となる。
【００５４】
また、本実施の形態によれば、突刺部３３は、胴体部３１の軸線方向ａｄに沿って胴体部３１から離間するにつれて先細になる。この場合、突刺部３３が蓋材２０の突刺領域２１に押し込まれる際の接触面積を小さくすることができ、蓋材２０の突刺領域２１を突き破り易い。
【００５５】
また、本実施の形態によれば、突刺部３３は、一端において互いに接続され、他端において互いから離間して胴体部３１に接続した複数のリブブレード３４を有する。この場合、突刺部３３内の限られたスペースを有効に活用しながら、蓋材２０の突刺領域２１を確実に突き破る突刺部３３を構成することができる。とりわけ、本実施の形態によれば、突刺部３３のうちの隣り合う２つのリブブレード３４の間を含む領域に、流入孔３５に通じる開口３５ａが形成されている。この場合、突刺部３３内の限られたスペースをさらに有効に活用しながら、蓋材２０の突刺領域２１を確実に突き破り且つ容器本体１０内の内容物を安定して取り込む突刺部３３を実現することができる。
【００５６】
また、本実施の形態によれば、胴体部３１の軸線方向ａｄに沿ったリブブレード３４の断面において、胴体部３１の軸線方向ａｄに沿ったリブブレード３４の寸法Ｌ１は、胴体部３１の軸線方向ａｄに直交する方向に沿ったリブブレード３４の寸法Ｌ２の二倍よりも長い。この場合、複数のリブブレード３４により構成される突刺部３３がさらに先細になることから、突刺部３３が蓋材２０の突刺領域２１に押し込まれる際の接触面積をさらに小さくすることができ、蓋材２０の突刺領域２１をさらに容易に突き破ることができる。
【００５７】
また、本実施の形態によれば、突刺具３０は、胴体部３１から張り出した鍔部３８をさらに有する。この場合、突刺具３０を蓋材２０の突刺領域２１に押し込んでいくと、鍔部３８が蓋材２０に面で当接した位置で突刺具３０をそれ以上押し込めなくなる。すなわち、鍔部３８が設けられていることにより、突刺具３０を蓋材２０の突刺領域２１に突き刺す際の突刺具３０の突刺位置を制御することができる。
【００５８】
また、本実施の形態によれば、突刺領域２１を構成する突刺用フィルム２２は、無延伸ナイロンフィルム層２２ｂと、無延伸ナイロンフィルム層２２ｂよりも容器本体１０側に配置されたシーラント層２２ａと、を含む。無延伸ナイロンフィルム層２２ｂは、突刺用フィルム２２に延伸性及び耐突刺性を付与する。突刺用フィルム２２が高い延伸性及び耐突刺性を発揮する場合、突刺具３０で突き刺されたときに突刺用フィルム２２が大きく延びて強い弾性力を示す。そして、突刺用フィルム２２が突き破られると、この弾性力が開放されその復元の過程で突刺具３０の周りを弾性的に締め付ける。この突刺具３０を弾性的に締め付ける作用が、突刺具３０との間の隙間を埋めるように機能すると共に、当該突刺具３０を保持する保持力を提供する。すなわち、無延伸ナイロンフィルム層２２ｂにより突刺用フィルム２２に延伸性及び耐突刺性が付与されることにより、突刺領域２１に突刺具３０が突き刺された状態において、突刺具３０との隙間を小さくすると共に安定して当該突刺具３０を保持することに、大きく貢献する。
【００５９】
また、本実施の形態によれば、鍔部３８と突刺部３３との間に位置する胴体部３１の部分３１ａに、他の部分よりも凹んだ凹部３１ｂが形成されている。この場合、突刺具３０に突き刺された突刺用フィルム２２が、胴体部３１の周りに接触する面積を減らすことができるため、突刺用フィルム２２による胴体部３１を保持する力を調整することが可能となる。
【００６０】
また、本実施の形態によれば、蓋付容器２の蓋材２０に突刺可能であり、蓋材２０に突き刺さった状態で注出口として機能する突刺具３０であって、蓋材２０に突き刺さった状態で、蓋付容器２内部を外部に連通させるための筒状の胴体部３１と、胴体部３１の軸線方向ａｄに沿った一端に接続された突刺部３３であって、胴体部３１の内部に通じる流入孔３５が形成された突刺部３３と、を備え、突刺部３３は、一端において互いに接続され且つ他端において互いから離間して胴体部３１に接続した複数のリブブレード３４を有し、突刺部３３のうちの隣り合う２つのリブブレード３４の間を含む領域に、流入孔３５に通じる開口３５ａが形成されていて、胴体部３１の軸線方向ａｄに沿ったリブブレード３４の断面において、胴体部３１の軸線方向ａｄに沿ったリブブレード３４の寸法Ｌ１は、胴体部３１の軸線方向ａｄに直交する方向に沿ったリブブレード３４の寸法Ｌ２の二倍よりも長い、突刺具３０が提供される。
【００６１】
次に、本件発明者らが知見した突刺用フィルム２２に求められる延伸性及び突刺強さと、内容物の漏れにくさと、の関係について説明する。なお、突刺用フィルム２２の延伸性は、ＪＩＳ−Ｋ７１２７に準拠して計測される引張伸度で評価し、突刺用フィルム２２の突刺強さは、ＪＩＳ−Ｚ１７０７に準拠して計測される突刺強さで評価した。
【００６２】
突刺用フィルム２２の延伸性及び耐突刺性が大きいほど、突刺具３０で突き刺されたときに突刺用フィルム２２が大きく延びて強い弾性力を示す。これに伴い、突刺用フィルム２２が突き破られた後に発生する復元力も大きくなり、破れた突刺用フィルム２２が突刺具３０の周りに隙間なく接触し且つ強い保持力で突刺具３０を保持する傾向となる。ただし、あまりにも過度に突刺用フィルム２２の延伸性及び耐突刺性が大きくなると、突刺具３０で突刺用フィルム２２を突き刺したときに突き破れなくなる。このような観点から調査したところ、突刺用フィルム２２は、ＪＩＳ−Ｚ１７０７に準拠して計測される突刺強さが２．０Ｎ以上１０．０Ｎ以下であり、ＪＩＳ−Ｋ７１２７に準拠して計測される引張伸度が１１０％以上であるのが好ましいことが知見された。
【００６３】
以上のことから、本実施の形態によれば、注出口として機能する突刺具３０を突き刺して用いられる蓋付容器２であって、開口１０ａが形成された、内容物を収容する容器本体１０と、延伸性の突刺領域２１を含み、開口１０ａを覆うように容器本体１０に取り付けられた蓋材２０と、を備え、突刺領域２１を構成する突刺用フィルム２２が、ＪＩＳ−Ｚ１７０７に準拠して計測される突刺強さが２．０Ｎ以上１０．０Ｎ以下であり、ＪＩＳ−Ｋ７１２７に準拠して計測される引張伸度が１１０％以上である、蓋付容器２が提供される。このような形態によれば、突刺具３０で突き刺されたときに突刺用フィルム２２が大きく延びて強い弾性力を示す。そして、突刺用フィルム２２が突き破られると、この弾性力が開放されその復元の過程で突刺具３０の周りを弾性的に締め付ける。この突刺具３０を弾性的に締め付ける作用が、突刺具３０との間の隙間を埋めるように機能すると共に、当該突刺具３０を保持する保持力を提供する。このため、突刺具３０を蓋材２０に突き刺した状態において、突刺具３０の周りと突き破られた蓋材２０との間から内容物が漏れ出すことを抑制することが可能な蓋付容器２が実現される。
【００６４】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６５】
上述した実施の形態では、図１に示すように、突刺具３０が保持バンド５を介して容器本体１０に支持された例を示したが、突刺具３０を支持する形態は、このような例に限定されない。図９に、突刺具３０を支持する他の例を示す。
【００６６】
図９に示す例では、突刺具付容器１は、蓋付容器２のフランジ部１３に取り付けられた枠体４０をさらに有している。すなわち、枠体４０は、蓋材２０で覆われた容器本体１０の開口１０ａをさらに覆うようにして、容器本体１０のフランジ部１３に取り付けられている。図９に示す枠体４０は、例えば硬質の樹脂材料にて一体物として成形することが可能である。
【００６７】
図９に示すように、枠体４０は、蓋材２０の突刺領域２１の一部を露出させる筒状部４１と、筒状部４１を支持すると共に蓋材２０の他の領域を覆うカバー部４２と、を有している。このうち、カバー部４２は、蓋材２０の突刺領域２１の大部分を覆う概ね板状の領域として成形された本体部分４２ａと、本体部分４２ａの周縁から延び出しフランジ部１３に嵌合した取付端４２ｂと、を含んでいる。
【００６８】
筒状部４１は、カバー部４２の本体部分４２ａから開口１０ａの正面方向に突出した中空円筒状の部分である。筒状部４１内に突刺具３０が挿入されて支持されている。具体的には、筒状部４１の内面に、周状に延びる凸部４１ａが形成されていて、突刺具３０の突刺部３３に、この凸部４１ａを収容する第１凹部３６が形成されている。筒状部４１の凸部４１ａが突刺具３０の第１凹部３６に収容されることで、突刺具３０が筒状部４１に支持されている。
【００６９】
また、図９に示すように、突刺具３０の鍔部３８に、ヒンジ式のキャップ３９が旋回可能に接続されている。ヒンジ式のキャップ３９は、胴体部３１の軸線方向ａｄに直交する旋回軸を中心として旋回し、胴体部３１の取出口３２ａを開閉する。
【００７０】
図９に示す例では、突刺具３０の突刺部３３が蓋材２０の突刺領域２１と対面した状態で、突刺具３０が筒状部４１に支持されている。図９に示す状態から、突刺具３０を突刺領域２１に向かって押し込むと、突刺具３０を筒状部４１に案内されながら突刺領域２１に突き刺すことができる。図１０に、突刺具３０を突刺領域２１に突き刺した状態が示されている。
【００７１】
図１０に示すように、突刺具３０を突刺領域２１に向かって押し込むと、突刺具３０の押し込みに伴い突刺用フィルム２２が大きく延びて強い弾性力を示す。突刺具３０をさらに押し込み突刺用フィルム２２が突き破られると、大きく延びた突刺用フィルム２２の弾性力が開放され、破れた突刺用フィルム２２が復元の過程で突刺具３０を締め付ける。これにより、破れた突刺用フィルム２２が突刺具３０の周りに周状に接触して当該突刺具３０を保持する。
【００７２】
なお、図１０に示す例では、突刺具３０の胴体部３１にも、筒状部４１の凸部２５と相補的な形状をもつ第２凹部３７が形成されている。そして、突刺具３０を突刺領域２１に突き刺した状態において、筒状部４１の凸部２５が突刺具３０の第２凹部３７に収容される。すなわち、筒状部４１の凸部２５が突刺具３０の第２凹部３７に収容される位置まで突刺具３０を突刺領域２１に押し込むことで、突刺具３０の挿入位置を制御することが可能となる。
【００７３】
以上のように、図９及び図１０に示す形態によっても、開口１０ａが形成された、内容物を収容する容器本体１０と、延伸性の突刺領域２１を含み、開口１０ａを覆うように容器本体１０に取り付けられた蓋材２０と、突刺領域２１に突刺可能であり、突刺領域２１に突き刺さった状態で注出口として機能する突刺具３０と、を備え、突刺具３０は、突刺領域２１に突き刺さった状態で、容器本体１０内部を外部に連通させるための筒状の胴体部３１と、胴体部３１の軸線方向ａｄに沿った一端に接続された突刺部３３であって、胴体部３１の内部に通じる流入孔３５が形成された突刺部３３と、を有し、突刺領域２１は、突刺具３０を突き刺された際に延伸し、延伸状態で胴体部３１の周りに接触して当該胴体部３１を保持する。このような形態によれば、突刺用フィルム２２が、突刺具３０に突き刺された状態において、延伸状態で胴体部３１の周りに接触するため、突刺具３０との間の隙間を埋めるように作用すると共に当該胴体部３１を保持する。このため、突刺具３０を蓋材２０に突き刺した状態において、突刺具３０の周りと突き破られた蓋材２０との間から内容物が漏れ出すことを抑制することが可能となる。
【符号の説明】
【００７４】
１      突刺具付容器
２      蓋付容器
１０    容器本体
１０ａ  開口
１３    フランジ部
２０    蓋材
２１    突刺領域
２２    突刺用フィルム
２２ａ  シーラント層
２２ｂ  無延伸ナイロンフィルム層
２２ｃ  バリア層
３０    突刺具
３１    胴体部
３２    通路
３２ａ  取出口
３３    突刺部
３３ａ  先端
３４    リブブレード
３４ｃ  外輪郭
３５    流入孔
３５ａ  開口
３８    鍔部
ａｄ    軸線方向
ＩＬ    仮想直線
Ｌ１    軸線方向に沿ったリブブレードの寸法
Ｌ２    軸線方向に直交する方向に沿ったリブブレードの寸法
【図１】
2016172576.tif 000003
【図２】
2016172576.tif 000004
【図３】
2016172576.tif 000005
【図４】
2016172576.tif 000006
【図５】
2016172576.tif 000007
【図６】
2016172576.tif 000008
【図７】
2016172576.tif 000009
【図８】
2016172576.tif 000010
【図９】
2016172576.tif 000011
【図１０】
2016172576.tif 000012